(57)【要約】  【課題】  本考案は、高いダイエット効果を目的として酸素濃度が高いサウナ装置（特に乾式のサウナ装置）を提供することを目的とする。  【解決手段】  上記の課題は、サウナ室（１）と、前記サウナ室内に酸素を供給するための酸素供給装置（２）と、前記サウナ室内の酸素濃度を測定するための酸素濃度測定装置（３）と、前記酸素濃度測定装置が測定した酸素濃度に基づいて、前記酸素供給装置が供給する酸素の量を調整することにより、前記サウナ室内の酸素濃度を３１ｖｏｌ％以上に制御するための酸素濃度制御装置（４）とを具備するサウナ（５）により、達成される。【選択図】  図１
0003110472.tif 000002
【実用新案登録請求の範囲】
【請求項１】
サウナ室（１）と、
前記サウナ室内に酸素を供給するための酸素供給装置（２）と、
前記サウナ室内の酸素濃度を測定するための酸素濃度測定装置（３）と、
前記酸素濃度測定装置が測定した酸素濃度に基づいて、前記酸素供給装置が供給する酸素の量を調整することにより、前記サウナ室内の酸素濃度を３１ｖｏｌ％以上に制御するための酸素濃度制御装置（４）と、
を具備するサウナ（５）。
【請求項２】
前記サウナ室内の酸素濃度を４０ｖｏｌ％以上９０ｖｏｌ％以下に制御する請求項１に記載のサウナ。
【請求項３】
前記サウナ室内の酸素濃度を４０ｖｏｌ％以上５０ｖｏｌ％以下に制御する請求項１に記載のサウナ。
【請求項４】
前記酸素供給装置が、酸素を封入した酸素ボンベと、酸素ボンベの配管に設けられたバルブである請求項１〜３のいずれかに記載のサウナ。
【請求項５】
前記酸素濃度測定装置が、酸素濃度計である請求項１〜４のいずれかに記載のサウナ。
【請求項６】
前記酸素濃度制御装置が、制御部（演算部）、記憶部、入力部、出力部及びそれらをつなぐバスを具備するコンピュータである請求項１〜５のいずれかに記載のサウナ。
【請求項７】
浴槽内又は浴室内に酸素を供給するための酸素供給装置（２）と、
前記浴室内の酸素濃度を測定するための酸素濃度測定装置（３）と、
前記酸素濃度測定装置が測定した酸素濃度に基づいて、前記酸素供給装置が供給する酸素の量を調整することにより、前記浴室内の酸素濃度を所定の範囲に制御するための酸素濃度制御装置（４）と、
を具備する浴室用酸素供給システム（６）。
【請求項８】
前記浴室内の酸素濃度を４０ｖｏｌ％以上９０ｖｏｌ％以下に制御する請求項７に記載の浴室用酸素供給システム。
【請求項９】
前記浴室内の酸素濃度を４０ｖｏｌ％以上５０ｖｏｌ％以下に制御する請求項７に記載の浴室用酸素供給システム。
【請求項１０】
前記酸素供給装置が、酸素を封入した酸素ボンベと、酸素ボンベの配管に設けられたバルブである請求項６〜９のいずれかに記載の浴室用酸素供給システム。
【請求項１１】
前記酸素濃度測定装置が、酸素濃度計である請求項６〜１０のいずれかに記載の浴室用酸素供給システム。
【請求項１２】
前記酸素濃度制御装置が、制御部（演算部）、記憶部、入力部、出力部及びそれらをつなぐバスを具備するコンピュータである請求項６〜１１のいずれかに記載の浴室用酸素供給システム。
【請求項１３】
請求項６〜１２のいずれかに記載の浴室用酸素供給システムを具備する浴室（７）。
【請求項１４】
前記酸素供給装置（２）が、浴槽に連結され、浴槽内に空気を放出するためのものである請求項１３に記載の浴室。
【考案の詳細な説明】
【技術分野】
【０００１】
本考案は、酸素濃度が高くダイエットなどに有効なサウナや浴室用酸素供給システムなどに関する。
【背景技術】
【０００２】
ダイエットなどの目的で、サウナや入浴が好ましく用いられている。サウナに入る前と入った後では、実際に体重が軽減していることがあり、サウナはダイエットに有効と考えられている。
【０００３】
そもそも、脂肪が燃焼するためには、酸素が必要である。しかし、特に乾式サウナは、その温度制御装置として、暖炉などが設けられており、通常の雰囲気よりも酸素濃度が欠乏することが多い。このため、サウナによれば、発汗などによって水分が減少した分、見かけの体重が減ることとなるが、実は脂肪は必ずしも効果的に燃焼していないという問題があった。
【０００４】
一方、サウナ内の息苦しさを緩和するため酸素濃度を２１〜３０ｖｏｌ％に維持できるサウナ装置が知られている（特開２００４−２３６７６５号公報の請求項１、［０００６］から［０００８］段落）。しかしながら、このサウナ装置では、火災を防止するために酸素濃度が"確実に２１〜３０ｖｏｌ％となるように精度よくコントロール"される。したがって、このサウナ装置は、そもそもダイエット効果を目的としたものではないが、このサウナ装置によっても、脂肪燃焼の効果は十分ではないという問題が残る。
【０００５】
上記と同様温泉やお風呂に入浴する目的は、清潔さを保つことや病気の予防・治療が主であり、ダイエットは必ずしも目的とされない。
【考案の開示】
【考案が解決しようとする課題】
【０００６】
本考案は、高いダイエット効果を目的として酸素濃度が高いサウナ（特に乾式のサウナ装置）を提供することを目的とする。
【０００７】
また、本考案はダイエット効果のある浴室（浴室用酸素供給システム）を提供することを目的とする。
【課題を解決するための手段】
【０００８】
本考案は、基本的には、サウナ室内の酸素濃度を３１ｖｏｌ％以上（好ましくは４０ｖｏｌ％〜１００ｖｏｌ％、より好ましくは５０ｖｏｌ％〜９０ｖｏｌ％、更に好ましくは５５ｖｏｌ％〜６５ｖｏｌ％）に制御することにより、脂肪が燃焼することを促進できるという知見に基づくものである。
【０００９】
すなわち、本考案のサウナは、サウナ室と、前記サウナ室内に酸素を供給するための酸素供給装置と、前記サウナ室内の酸素濃度を測定するための酸素濃度測定装置と、前記酸素濃度測定装置が測定した酸素濃度に基づいて、前記酸素供給装置が供給する酸素の量を調整することにより、前記サウナ室内の酸素濃度を３１ｖｏｌ％以上に制御するための酸素濃度制御装置と、を具備するサウナである。
【００１０】
そして、上記の構成によりサウナ室内の酸素濃度を所定の値以上に制御できるので、ダイエット効果の高いサウナを提供できる。
【００１１】
また、本考案は、基本的には、浴室であっても酸素濃度を一定範囲に保つことで、十分なダイエット効果を得ることができるという知見に基づくものである。すなわち、本考案の浴室用酸素供給システムは、浴室内に酸素を供給するための酸素供給装置と、前記浴室内の酸素濃度を測定するための酸素濃度測定装置と、前記酸素濃度測定装置が測定した酸素濃度に基づいて、前記酸素供給装置が供給する酸素の量を調整することにより、前記浴室内の酸素濃度を所定の範囲に制御するための酸素濃度制御装置と、を具備する浴室用酸素供給システムである。また、浴室用酸素供給システムの利用態様は、温泉や家庭の浴室に設置されることである。
【００１２】
なお、酸素供給装置は、浴槽に連結されることが好ましい。酸素濃度を制御する浴室では、酸素濃度が高いことに基づく効果しか基本的には与えられない。しかしながら、このような浴室では、供給される酸素によってバブルが形成されるので、浴室内の酸素濃度を調整しながら、泡風呂としての楽しみをも与えることができる。
【考案の効果】
【００１３】
本考案によれば、酸素濃度が高いサウナ（特に乾式のサウナ装置）を提供することができ、これにより高いダイエット効果を得ることができる。
【００１４】
本考案によれば、酸素濃度が高い浴室用酸素供給システムを提供することができ、これにより高いダイエット効果を得ることができる。
【考案を実施するための最良の形態】
【００１５】
以下図を用いて本考案を具体的に説明する。図１は、本考案のサウナの概略図である。図１に示されるように、本考案のサウナは、サウナ室（１）と、前記サウナ室内に酸素を供給するための酸素供給装置（２）と、前記サウナ室内の酸素濃度を測定するための酸素濃度測定装置（３）と、  前記酸素濃度測定装置が測定した酸素濃度に基づいて、前記酸素供給装置が供給する酸素の量を調整することにより、前記サウナ室内の酸素濃度を３１ｖｏｌ％以上に制御するための酸素濃度制御装置（４）とを具備するサウナ（５）である。上記以外のサウナに通常含まれる構成（たとえば、暖炉などの加熱装置（温度制御装置）、加熱装置の加熱量を制御する機構、加熱装置に水分を供給する装置、）は、適宜採用すればよい。
【００１６】
酸素供給装置として、酸素を封入した酸素ボンベと、酸素ボンベの配管に設けられたバルブがあげられる。酸素ボンベは公知のものを適宜利用できる。バルブは、後述のとおり、制御装置からの制御信号によって、開閉を調整できるもの（バルブ調整機構を含むもの）があげられる。
【００１７】
酸素濃度測定装置として、酸素濃度計があげられる。酸素濃度計は公知のものを適宜利用できる。
【００１８】
酸素濃度制御装置は、酸素濃度測定装置が測定した酸素濃度に基づいて、酸素供給装置が供給する酸素の量を調整することにより、前記サウナ室内の酸素濃度を３１ｖｏｌ％以上に制御するための装置である。酸素濃度制御装置は、コンピュータであればよく、例えば制御部（演算部）、記憶部、入力部、出力部及びそれらをつなぐバスを具備するコンピュータにより構成される。
【００１９】
以下では、本考案のサウナの動作例を説明する。酸素濃度計がサウナ室内の酸素濃度を測定する。すると、測定されたサウナ室内の酸素濃度に関する情報が、酸素濃度制御装置の入力部により入力される。この酸素濃度（測定酸素濃度）に関する情報は、記憶部に一時的に記憶される。記憶部には、制御すべきサウナ室内の酸素濃度（設定酸素濃度）に関する情報が記憶されている。制御部は、記憶部のメインメモリに記憶されたプログラムを読み出して、記憶部に記憶された設定酸素濃度と、測定酸素濃度に関する情報を読出す。制御部の比較回路又は読み出された比較プログラムは、設定酸素濃度と測定酸素濃度とを比較する。その結果、測定酸素濃度が設定酸素濃度より高ければ、バルブを閉めるよう指令（制御信号）を出し、その指令は出力部を介してバルブ調整機構へ伝えられる。バルブ調整機構は、この指令にしたがって、バルブを閉める。一方、測定酸素濃度が設定酸素濃度より低ければ、バルブを開けるよう、指令（制御信号）をバルブ調整機構へ伝える。バルブ調整機構は、この指令にしたがって、バルブを開ける。なお、バルブの開閉の程度は、酸素濃度計の計測値に基づいて調整されても良い。このようにすれば、サウナ室内に供給される酸素の量が制御され、サウナ室内の酸素濃度が制御されることとなる。
【００２０】
大気中の酸素濃度は、およそ２１％である。一方、本考案のサウナでは、サウナ室内の酸素濃度を３１ｖｏｌ％以上、好ましくは４０ｖｏｌ％以上に制御するので、大気中や大気中に比べ酸素の少ないサウナに比べ高い酸素濃度環境を提供できる。
【００２１】
なお、酸素濃度が高ければ高いほど良いわけではない。たとえば、ＩＩ型呼吸不全とよばれる肺の病気にかかっている者は、肺での換気が十分に行われない。このために、血液中の炭酸ガス濃度が高くなる。このような者が、高濃度の酸素を吸うと二酸化炭素ナルコーシスを起こす可能性がある。また、乳幼児や小児は、肺が十分に発達していない。このような状態で、酸素濃度が高すぎると失明するケースがある。このような観点からは、酸素濃度として、９０ｖｏｌ％以下、好ましくは８０ｖｏｌ％以下、更に好ましくは６５ｖｏｌ％以下、特に好ましくは５０％以下に制御すればよい。
【００２２】
図２は、本考案の浴室酸素供給システムの概略図である。図２に示されるように本考案の浴室酸素供給システムは、浴槽内又は浴室内に酸素を供給するための酸素供給装置（２）と、前記浴室内の酸素濃度を測定するための酸素濃度測定装置（３）と、前記酸素濃度測定装置が測定した酸素濃度に基づいて、前記酸素供給装置が供給する酸素の量を調整することにより、前記浴室内の酸素濃度を所定の範囲に制御するための酸素濃度制御装置（４）とを具備する浴室用酸素供給システム（６）である。なお、本考案の浴室酸素供給システムが用いられる浴室は、浴槽、浴槽に水又はお湯を供給する給湯又は給水装置、浴槽の水又は湯を加熱する任意の加熱装置を含んでも良い。
【００２３】
酸素供給装置として、酸素を封入した酸素ボンベと、酸素ボンベの配管に設けられたバルブがあげられる。酸素ボンベは公知のものを適宜利用できる。バルブは、後述のとおり、制御装置からの制御信号によって、開閉を調整できるもの（バルブ調整機構を含むもの）があげられる。なお、酸素供給装置は、浴槽に連結され、供給される酸素によってバブルが形成されることは本考案の好ましい実施態様である。このような浴室では、酸素濃度が高まるのみならず、浴室内の酸素濃度を調整しながら、泡風呂としての楽しみをも与えることができる。
【００２４】
酸素濃度測定装置として、酸素濃度計があげられる。酸素濃度計は公知のものを適宜利用できる。
【００２５】
酸素濃度制御装置は、酸素濃度測定装置が測定した酸素濃度に基づいて、酸素供給装置が供給する酸素の量を調整することにより、前記浴室内の酸素濃度を所定の範囲に制御するための装置である。酸素濃度制御装置は、例えば制御部、記憶部、入力部、出力部、及び読出部により構成される。
【００２６】
以下では、本考案の浴室酸素供給システムの動作例を説明する。酸素濃度計が浴室内の酸素濃度を測定する。すると、測定された浴室内の酸素濃度に関する情報が、酸素濃度制御装置の制御部へと入力される。この酸素濃度（測定酸素濃度）に関する情報は、記憶部に一時的に記憶される。記憶部には、制御すべき浴室内の酸素濃度（設定酸素濃度）に関する情報が記憶されている。読出し手段は、記憶部に記憶された設定酸素濃度と、測定酸素濃度に関する情報を読出し、制御部に伝える。制御部の比較回路又は比較プログラムは、伝えられた設定酸素濃度と測定酸素濃度とを比較する。その結果、測定酸素濃度が設定酸素濃度より高ければ、バルブを閉めるよう指令（制御信号）をバルブ調整機構へ伝える。バルブ調整機構は、この指令にしたがって、バルブを閉める。一方、測定酸素濃度が設定酸素濃度より低ければ、バルブを開けるよう、指令（制御信号）をバルブ調整機構へ伝える。バルブ調整機構は、この指令にしたがって、バルブを開ける。なお、バルブの開閉の程度は、酸素濃度計の計測値に基づいて調整されても良い。このようにすれば、浴室内に供給される酸素の量が制御され、浴室内の酸素濃度が制御されることとなる。
【００２７】
大気中の酸素濃度は、およそ２１％である。一方、本考案の浴室酸素供給システムでは、浴室内の酸素濃度を所定の範囲、たとえば２５ｖｏｌ％以上、好ましくは３０ｖｏｌ％以上、より好ましくは４０ｖｏｌ％、更に好ましくは４５％以上に制御するので、大気中や大気中に比べ酸素の少ない浴に比べ高い酸素濃度環境を提供できる。
【００２８】
なお、酸素濃度が高ければ高いほど良いわけではない。たとえば、ＩＩ型呼吸不全とよばれる肺の病気にかかっている者は、肺での換気が十分に行われない。このために、血液中の炭酸ガス濃度が高くなる。このような者が、高濃度の酸素を吸うと二酸化炭素ナルコーシスを起こす可能性がある。また、乳幼児や小児は、肺が十分に発達していない。このような状態で、酸素濃度が高すぎると失明するケースがある。このような観点からは、酸素濃度として、９０ｖｏｌ％以下、好ましくは８０ｖｏｌ％以下、更に好ましくは６５ｖｏｌ％以下、特に好ましくは５０％以下に制御すればよい。
【産業上の利用可能性】
【００２９】
本考案のサウナは、温泉や銭湯などで用いられるサウナ、または個人向けのサウナ装置として、好適に利用されうる。
【００３０】
また、本考案の浴室酸素供給システムは、浴室内の酸素を制御する装置として、特にダイエット目的の家庭用または温泉用などの酸素量制御システムとして、好適に利用されうる。
【図面の簡単な説明】
【００３１】
【図１】図１は、本考案のサウナの概略図である。
【図２】図２は、本考案の浴室酸素供給システムの概略図である。
【符号の説明】
【００３２】
１  サウナ室
２  酸素供給装置
３  酸素濃度測定装置
４  酸素濃度制御装置
５  サウナ
６  浴室用酸素供給システム
７  浴室
【図１】
0003110472.tif 000003
【図２】
0003110472.tif 000004